(57)【要約】【課題】砂などの異物が噛み込み難い回転式操作装置及びこれを具えた電子機器を提供する。【解決手段】本発明の回転式操作装置は、下面に軸体43が突設された回転式操作子40と、前記軸体が貫通する支持孔30を有し、表面に前記回転式操作子を回転可能に支持する基台22と、を具える回転式操作装置において、前記回転式操作子は、前記軸体の先端が前記基台の裏面まで延び、前記軸体の先端には、該軸体に取り付けられるベース板51と、該ベース板の周面から突設された１又は複数の抑え片60と、を具える抑えプレート50が取り付けられている。【選択図】図３
2014134737.tif 000002
【特許請求の範囲】
【請求項１】
下面に軸体が突設された回転式操作子と、
前記軸体が貫通する支持孔を有し、表面に前記回転式操作子を回転可能に支持する基台と、
を具える回転式操作装置において、
前記回転式操作子は、前記軸体の先端が前記基台の裏面まで延び、前記軸体の先端には、該軸体に取り付けられるベース板と、該ベース板の周面から突設された１又は複数の抑え片と、を具える抑えプレートが取り付けられていることを特徴とする回転式操作装置。
【請求項２】
前記抑え片は、前記軸体の軸心から放射状に延びる第１抑えアームと、該第１抑えアームの先端から前記軸体を軸心とする円周方向に延びる第２抑えアームと、を具える、請求項１に記載の回転式操作装置。
【請求項３】
前記第２抑えアームは、前記基台の裏面に向けて突出し、前記基台の裏面に摺接する抑え部を有する、請求項１又は請求項２に記載の回転式操作装置。
【請求項４】
前記抑えプレートは、前記ベース板の周面から突設された１又は複数の位置決め片を具える、請求項１乃至請求項３の何れかに記載の回転式操作装置。
【請求項５】
前記位置決め片は、前記軸体の軸心から放射状に延びる第１位置決めアームと、該第１位置決めアームの先端から前記軸体を軸心とする円周方向に延びる第２位置決めアームと、を具える、請求項４に記載の回転式操作装置。
【請求項６】
前記第２位置決めアームは、基台の裏面に向けて突出した位置決め部を有し、
前記基台は、前記位置決め部の回転移行路上に、前記位置決め部が出没可能に嵌まる１又は複数の溝が凹設される、請求項４又は請求項５に記載の回転式操作装置。
【請求項７】
請求項１乃至請求項６の何れかに記載の回転式操作装置を具える電子機器。
【発明の詳細な説明】
【技術分野】
【０００１】
本発明は、回転式操作子を具える操作装置及びこれを具えた電子機器に関するものである。
【背景技術】
【０００２】
デジタルカメラ等の電子機器では、回転操作可能な回転式の操作子を具えた操作装置を具えたものがある。回転式操作子として、ダイヤル型の回転式セレクター(所謂「ジョグダイヤル」)や、つまみを設けた回転式のノブが挙げられる。
【０００３】
回転式操作装置として、特許文献１では、電子機器の筐体に設けられた取付部に回転式セレクターを回転自在に嵌めて構成している。取付部には、回転式セレクターに向けて開口する筒部を有し、該筒部にバネ付勢されたボールが配備される。回転式セレクターには、前記ボールと対向する円周上に複数の溝が形成されており、回転式セレクターを回転操作すると、前記溝へボールが出没し、回転式セレクターの操作にクリック感を付与することができる。
【先行技術文献】
【特許文献】
【０００４】
【特許文献１】特開２００６−６６１４７号公報
【発明の概要】
【発明が解決しようとする課題】
【０００５】
電子機器は、水中や川辺、海辺などでの使用が想定される。特に、防水型の電子機器には、このような環境での使用頻度も高まる。
【０００６】
上記の如き環境下において、電子機器を使用すると、回転式操作装置内に砂などの異物が入り、回転式セレクターとボール、筒部内等に砂などの異物が噛み込んでしまうことがある。
【０００７】
特に筒部とボールとの間に砂が噛み込むと、ボールの出没が上手く行なわれないから、回転式セレクターが動かなくなったり、位置決めできなくなってしまうことがある。
【０００８】
本発明の目的は、砂などの異物が噛み込み難い回転式操作装置及びこれを具えた電子機器を提供することである。
【課題を解決するための手段】
【０００９】
上記課題を解決するために、本発明の回転式操作装置は、
下面に軸体が突設された回転式操作子と、
前記軸体が貫通する支持孔を有し、表面に前記回転式操作子を回転可能に支持する基台と、
を具える回転式操作装置において、
前記回転式操作子は、前記軸体の先端が前記基台の裏面まで延び、前記軸体の先端には、該軸体に取り付けられるベース板と、該ベース板の周面から突設された１又は複数の抑え片と、を具える抑えプレートが取り付けられている。
【発明の効果】
【００１０】
回転式操作子は、抑え片の抑え部が基台に常に当接しているから、回転式操作子が傾いたりがたつくことを防止することができる。
【００１１】
また、万一抑えプレートと基台との間に砂が噛み込んだとしても、回転式操作装置の内部に水を入れて、回転式操作子を回転方向に往復させたり、デジタルカメラを振り動かすだけで、抑えプレートと基台との間に水流が入り込み、噛み込んだ砂を洗い流すことができる。従って、砂などの異物が噛み込んでも、水洗いにより異物を除去でき、回転式操作子をスムーズに回転させることができる。
【図面の簡単な説明】
【００１２】
【図１】図１は、本発明の回転式操作装置を具える電子機器の斜視図である。
【図２】図２は、図１の電子機器の蓋体を開いた状態を示す斜視図である。
【図３】図３は、本発明の回転式操作装置を具える蓋体の要部分解斜視図である。
【図４】図４は、本発明の回転式操作装置を具える蓋体の要部分解斜視図である。
【図５】図５は、本発明の回転式操作子を具える蓋体の要部斜視図である。
【図６】図６は、抑えプレートの正面図である。
【図７】図７は、抑えプレートの背面図である。
【図８】図８は、抑えプレートを図６の矢印Ａ方向から見た図である。
【図９】図９は、抑えプレートを図６の矢印Ｂ方向から見た図である。
【図１０】図１０は、抑えプレートを図６の矢印Ｃ方向から見た図である。
【図１１】図１１は、抑えプレートを図６の矢印Ｄ方向から見た図である。
【図１２】図１２は、抑えプレートを図６の矢印Ｅ方向から見た図である。
【図１３】図１３は、抑えプレートを図６の矢印Ｆ方向から見た図である。
【発明を実施するための形態】
【００１３】
以下、本発明の回転式操作装置を電子機器に適用した形態について、図面に沿って具体的に説明する。
【００１４】
図１は、電子機器の一例であるデジタルカメラの斜視図である。デジタルカメラは、撮像レンズ(11)及びシャッターボタン(12)が配備されて、防水構造を有する筺体(10)の側部に、ヒンジ機構(13)を介して蓋体(20)が開閉可能に枢支されている。
【００１５】
図２は、蓋体(20)を開いた状態を示している。筺体(10)の内部には、メモリーカード(14)及びバッテリー(15)を収容するための収容室(16)が形成されている。蓋体(20)を開くことで、メモリーカード(14)やバッテリー(15)の挿脱を行なうことができる。
【００１６】
蓋体(20)の背面側(収容室(16)側)には、ゴム製のパッキン(21)が取り付けられており、蓋体(20)を閉じることで、収容室(16)の防水性が確保される。
【００１７】
蓋体(20)には、図１に示すように、外装となる基台(22)に、蓋体(20)の開閉を行なうロックレバー(18)が配置されており、該ロックレバー(18)から突出した操作用つまみ(19)は、基台(22)に形成された開口(23)から臨出している。
【００１８】
操作用つまみ(19)を図１の下方向にスライドさせることにより、ロックレバー(18)がスライドして蓋体(20)を開閉可能とし、操作用つまみ(19)が図１の位置にあるときに、ロックレバー(18)が蓋体(20)を開放不能にロックする。
【００１９】
上記構成のデジタルカメラにおいて、本発明の回転式操作装置は、蓋体(20)をロック状態に保持しているロックレバー(18)の意図しないスライドを規制する装置として採用することができる。
【００２０】
図３及び図４は、パッキン(21)を取り外した蓋体(20)の要部分解斜視図、図５は、蓋体(20)の要部斜視図である。なお、これら図面において、ロックレバー(18)は省略している。
【００２１】
回転式操作装置は、図３及び図４に示すように、下面に軸体(43)が突設された回転式操作子(40)と、軸体(43)を回転可能に支持する支持孔(30)が貫通開設された基台(22)と、軸体(43)の先端に取り付けられた抑えプレート(50)を含んでいる。
【００２２】
回転式操作子(40)は、円板状の回転体(41)と、該回転体(41)の軸心から下方に向けて突設された外径円形の軸体(43)を有する。
【００２３】
回転体(41)には、周面に操作用ノブ(42)の突設されており、ユーザは、該ノブ(42)を回転方向に操作することで、回転式操作子(40)を回転方向にスライドさせることができる。
【００２４】
軸体(43)の先端は、基台(22)の支持孔(30)を貫通して基台(22)の裏面側まで延び、その先端面には、軸心にネジ(24)止め用のボス(44)が設けられている。
また、軸体(43)の先端には、前記ボス(44)の周囲に、抑えプレート(50)を取り付ける位置決めピン(45)(45)、ロックレバー(18)の動きを規制する規制ピン(46)が突設されている。
【００２５】
また、軸体(43)の周面には、回転式操作子(40)の回転角度を規制する角度規制用凹部(47)が凹設されている。
【００２６】
抑えプレート(50)は、図３乃至図５、より詳細には図６乃至図１３に示すように、略円形薄板状のベース板(51)と、該ベース板(51)の周縁から突設された１又は複数の抑え片(60)(60)(60)と位置決め片(70)を含んでいる。
【００２７】
図示では、位置決め片(70)の突設位置から９０度毎に３本の抑え片(60)(60)(60)を突設しているが、位置決め片(70)や抑え片(60)の本数はこれに限定されるものではない。なお、抑えプレート(50)が傾くことを防止するために、位置決め片(70)と抑え片(60)は等間隔に設けることが望ましい。
【００２８】
ベース板(51)は、その回転中心となる位置に前記軸体(43)のボス(44)に抑えプレート(50)をネジ(24)止めするための貫通孔(52)が開設されている。また、該貫通孔(52)の周囲には、前記軸体(43)の位置決めピン(45)(45)、規制ピン(46)が夫々貫通する位置決め孔(53)(53)、規制ピン挿通孔(54)が貫通開設されている。
【００２９】
抑え片(60)は、ベース板(51)の軸心(貫通孔(52)の中心)から放射状に延びる第１抑えアーム(61)と、該第１抑えアーム(61)の先端から円周方向に延びる第２抑えアーム(62)を具える。
【００３０】
第２抑えアーム(62)は、第１抑えアーム(61)から基台(22)の裏面に向けて僅かに屈曲しており、先端近傍に基台(22)の裏面に向けて突出する抑え部(63)を有する。抑え部(63)が基台(22)の摺動面(32)(後述する)と摺接することで、回転式操作子(40)の回転に適度な抵抗を与えることができる。なお、第２抑えアーム(62)の先端は、摺動面(32)に引っ掛かることを防止するために、摺動面(32)から離れる方向に向けている。
【００３１】
位置決め片(70)は、ベース板(51)の軸心から放射状に延びる第１位置決めアーム(71)と、該第１位置決めアーム(71)の先端から円周方向に延びる第２位置決めアーム(72)を具える。
【００３２】
第２位置決めアーム(72)は、第１位置決めアーム(71)から基台(22)の裏面に向けて僅かに屈曲しており、先端近傍に基台(22)の裏面に向けて突出する位置決め部(73)を有する。位置決め部(73)は、基台(22)に形成された溝(34)(35)(後述する)に嵌まって回転式操作子(40)の位置決めを行なう。図示の実施例では、抑え部(63)と位置決め部(73)は同心円上をスライドする構成としている。なお、第２位置決めアーム(72)の先端も、溝(34)(35)等に引っ掛かることを防止するために、基台(22)から離れる方向に向けている。
【００３３】
図８乃至図１３に示すように、位置決め片(70)の位置決め部(73)は、抑え片(60)の抑え部(63)よりも大きく突出するように形成されている。
【００３４】
抑えプレート(50)は、金属薄板を打ち抜き加工することで一体に形成することができる。
【００３５】
図３及び図４に示すように、基台(22)に貫通開設される支持孔(30)は、前記回転式操作子(40)の軸体(43)が回転可能に嵌まる。また、支持孔(30)の内周面には、前記回転式操作子(40)が所定角度だけ回転することを許容する角度規制用突部(33)が突設されており、該角度規制用突部(33)に回転式操作子(40)の角度規制用凹部(47)が嵌まる。
【００３６】
基台(22)の裏面側には、支持孔(30)の周縁にリブ(31)が突設されており、該リブ(31)上をベース板(51)が摺接し、抑えプレート(50)の回転抵抗を小さくするようにしている。
【００３７】
また、リブ(31)の外周は、図３乃至図５に示すように、平らな摺動面(32)が形成されており、その一部には、前記した抑えプレート(50)の位置決め片(70)に形成された位置決め部(73)の回転移行路上に１又は複数の溝(34)(35)が形成されている。
【００３８】
図示では、溝(34)(35)は、突部(36)を挟んで隣接して形成されており、溝(35)に向かう突部(36)の傾斜に比して、溝(34)に向かう突部(36)の傾斜を急峻にしている。
【００３９】
基台(22)の表面には、図１に示すように、回転式操作子(40)の回転体(41)が嵌まる凹部(25)と、ノブ(42)が所定角度回転可能に嵌まる凹溝(26)が形成されている。
【００４０】
回転式操作装置は、以下の要領で組み立てることができる。
まず、回転式操作子(40)を軸体(43)を支持孔(30)に挿入する。続いて、抑えプレート(50)を抑え部(63)及び位置決め部(73)が基台(22)の裏面と対向する向きにして、位置決めピン(45)(45)に位置決め孔(53)(53)、規制ピン(46)に規制ピン挿通孔(54)を挿通する。
その後、貫通孔(52)からネジ(24)を差し込んでボス(44)にネジ止めする。
【００４１】
組み立てられた回転式操作装置に関し、図示の実施例では、回転式操作子(40)は、図５の矢印αで示すように、約３０度回転可能となるようにしている。この角度範囲において回転式操作子(40)の回転を許容するように、前述した角度規制用凹部(47)と角度規制用突部(33)、ノブ(42)と凹溝(26)、位置決め部(73)と溝(34)(35)の相対的な位置関係を設定することができる。
【００４２】
上記構成の回転式操作装置において、図５に示す状態では、位置決め部(73)が溝(34)に嵌まっており、回転式操作子(40)は自由な回転が規制されている。この状態において、回転式操作子(40)の規制ピン(46)は、ロックレバー(18)が蓋体(20)のロック状態から作動しないようにロックレバー(18)の移動を規制するよう構成することで、ロックレバー(18)の意図しないスライドを阻止することができる。
【００４３】
この状態から、ノブ(42)を図１において反時計回りに回転させると、位置決め片(70)の第１位置決めアーム(71)と第２位置決めアーム(72)による付勢力に抗して、位置決め部(73)は溝(34)から突部(36)に向けて斜面に沿ってスライドし、位置決め片(70)を撓ませながら突部(36)を上る。このとき、抑え片(60)は、抑え部(63)が第１抑えアーム(61)と第２抑えアーム(62)のバネ性により、抑え部(63)が基台(22)の摺動面(32)上を摺動する。
【００４４】
回転式操作子(40)をさらに回転させると、位置決め部(73)が突部(36)を越えて、溝(35)に嵌まる。このとき、位置決め片(70)に蓄えられた撓みによる付勢力が復元方向に作用して、位置決め部(73)は、突部(36)から溝(35)に向かう斜面を下るから、回転式操作子(40)の回転に要する操作力は小さなもので済む。このときも、抑え片(60)は、抑え部(63)が基台(22)の摺動面(32)上を摺動する。
【００４５】
位置決め部(73)が溝(35)に嵌まると、回転式操作子(40)の自由な回転は再度規制されることとなる。
【００４６】
上記のように、位置決め部(73)が溝(34)から突部(36)を越えて溝(35)に嵌まるときに、位置決め片(70)のバネ性によって、その操作にクリック感を付与することができる。
【００４７】
回転式操作子(40)の回転により、規制ピン(46)も一体に回転する。規制ピン(46)の位置が変わることで、ロックレバー(18)のスライドを許容する構成することで、ロックレバー(18)を操作して、ロック解除状態とし、蓋体(20)の開閉を行なうことができる。
【００４８】
回転式操作子(40)を回転させた状態から、図５に示す状態に戻る逆方向の回転についても、回転方向が異なるだけで、上記と同様である。
【００４９】
なお、上記及び図示の実施例では、溝(34)(35)について、ロックレバー(18)をロック状態に維持する溝(34)は、他方の溝(35)に比して突部(36)の傾斜を急峻にしている。これにより、ロックレバー(18)のロック状態からロック解除状態とする回転式操作子(40)の回転操作は、ロック解除状態からロック状態とする回転式操作子(40)の回転操作よりも強い操作力が必要となるから、回転式操作子(40)が意図しない操作によって安易にロック解除方向に回転してしまうことを阻止できる。
【００５０】
また、回転式操作子(40)が位置決めされた状態及び回転状態の何れにおいても、抑え片(60)の抑え部(63)が摺動面(32)に当接しているから、回転式操作子(40)が傾いたりがたつくことを防止することができる。
【００５１】
上記した回転式操作装置において、支持孔(30)の周縁に形成されたリブ(31)の高さを可及的に低くし、併せて抑え片(60)は、ベース板(51)に対する抑え部(63)の突出量を小さくすることで、抑えプレート(50)と摺動面(32)とのクリアランスを可及的にゼロに近づけることができる。
【００５２】
これにより、水中や川辺、海辺などでデジタルカメラを使用したときに、支持孔(30)等から蓋体(20)の内部に砂などの異物が混入したとしても、抑えプレート(50)と摺動面(32)との間には砂などの異物は噛み込み難い。また、万一抑えプレート(50)と摺動面(32)との間に砂が噛み込んだとしても、蓋体(20)の内部に支持孔(30)等から水を入れて、回転式操作子(40)を回転方向に往復させたり、デジタルカメラを振り動かすだけで、抑えプレート(50)と摺動面(32)との間に水流が入り込み、噛み込んだ砂を洗い流すことができる。
【００５３】
上記のように、砂などの異物が噛み込んでも、水洗いにより異物を除去でき、回転式操作子(40)をスムーズに回転させることができる。
【００５４】
なお、メモリーカード(14)及びバッテリー(15)を収容する収容室(16)は、回転式操作装置よりも内側に設けられたパッキン(21)で塞がれているから、デジタルカメラの防水性は担保されていることは勿論である。
【００５５】
本発明の各部構成は上記実施の形態に限らず、特許請求の範囲に記載の技術的範囲内で種々の変形が可能である。
【００５６】
例えば、上記実施例では、抑えプレート(50)に抑え片(60)と位置決め片(70)の両方を設けているが、抑え片(60)のみ設ける構成とすることもできる。
【００５７】
また、上記実施例では、抑え部(63)と位置決め部(73)は同心円上をスライドする構成としているが、抑え部(63)と位置決め部(73)を、軸体(43)の軸心から異なる距離に設け、その回転移行路が異なるようにし、溝(34)(35)を位置決め部(73)の回転移行路上のみに設けることで、回転式操作子(40)の回転角度を大きくすることもできる。
【００５８】
本発明の回転式操作装置は、その用途がデジタルカメラに限定されるものではなく、携帯電話機やスマートフォン、ＰＤＡ(Personal  Digital  Assistant)、ビデオカメラ等の種々の電子機器にも採用できることは勿論であり、防水型の電子機器への適用に特に好適である。また、その適用は、電子機器に限定されるものでもない。
【００５９】
さらに、上記実施形態では、回転式操作装置は、蓋体(20)のロックレバー(18)のスライドを規制するためのものであるが、ジョグダイヤルなどのスイッチ等の回転式操作装置にも勿論適用することができる。
【産業上の利用可能性】
【００６０】
本発明は、砂などの異物が噛み込み難い回転式操作装置及びこれを具えた電子機器として有用である。
【符号の説明】
【００６１】
(22)  基台
(30)  支持孔
(32)  摺動面
(34)  溝
(35)  溝
(36)  突部
(40)  回転操作子
(41)  回転体
(43)  軸体
(50)  抑えプレート
(51)  ベース板
(60)  抑え片
(61)  第１抑えアーム
(62)  第２抑えアーム
(63)  抑え部
(70)  位置決め片
(71)  第１位置決めアーム
(72)  第２位置決めアーム
(73)  位置決め部
【図１】
2014134737.tif 000003
【図２】
2014134737.tif 000004
【図３】
2014134737.tif 000005
【図４】
2014134737.tif 000006
【図５】
2014134737.tif 000007
【図６】
2014134737.tif 000008
【図７】
2014134737.tif 000009
【図８】
2014134737.tif 000010
【図９】
2014134737.tif 000011
【図１０】
2014134737.tif 000012
【図１１】
2014134737.tif 000013
【図１２】
2014134737.tif 000014
【図１３】
2014134737.tif 000015